【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
自営無線回線および他の通信路を有し、前記自営無線回線により移動局と通信を行う移動通信統制局の制御装置であって、
前記自営無線回線を介して前記移動局のユーザと前記移動通信統制局のユーザとの間で通話ができなかった場合に、前記移動局の位置情報を利用して、前記他の通信路により前記移動局の近傍に位置する通信装置に通話のための発呼を行うことを特徴とする制御装置。
【請求項２】
第１の自営無線回線により移動局と通信を行う移動通信統制局の制御装置であって、
前記第１の自営無線回線を介して前記移動局のユーザと前記移動通信統制局のユーザとの間で通話ができなかった場合に、前記移動局の位置情報を利用して、同報無線網である第２の自営無線回線を介して前記移動局の近傍に位置する同報無線の子局に通話のための発呼を行うことを特徴とする制御装置。
【請求項３】
前記他の通信路に、
公衆回線網を介して公衆回線網に接続された通信装置と通話を行う第１の通信部と、
同報無線親局を介して同報無線の子局と通話を行う第２の通信部と、を含み、
前記自営無線回線による前記移動局のユーザとの通話および前記第１の通信部による前記通信装置のユーザとの通話および前記第２の通信部による前記同報無線の子局のユーザとの通話を制御する制御部を備えることを特徴とする請求項１記載の制御装置。
【請求項４】
前記移動局の識別情報と前記通信装置の連絡先情報とを対応付けて記憶する記憶部を備え、
前記制御部は、
前記移動局の識別情報に対応付けられた前記通信装置の連絡先情報に基づいて、前記第１の通信部による前記通信装置への発呼を制御することを特徴とする請求項３記載の制御装置。
【請求項５】
前記移動局の識別情報および位置情報との対応、所定の施設の連絡先情報および位置情報との対応を記憶する記憶部を備え、
前記制御部は、
前記移動局の識別情報に対応付けられた前記移動局の位置情報の近傍の位置情報を有する前記施設の連絡先情報に基づいて、前記第１の通信部により施設内の前記通信装置への発呼を制御することを特徴とする請求項３記載の制御装置。
【請求項６】
前記移動局の識別情報および位置情報との対応、前記同報無線の子局の連絡先情報および位置情報との対応を記憶する記憶部を備え、
前記制御部は、
前記移動局の識別情報に対応付けられた前記移動局の位置情報の近傍の位置情報を有する前記同報無線の子局の連絡先情報に基づいて、前記第２の通信部により前記同報無線の子局への発呼を制御することを特徴とする請求項３記載の制御装置。
【請求項７】
前記移動局の識別情報および位置情報および前記通信装置の連絡先情報との対応、所定の施設の連絡先情報および位置情報との対応、前記同報無線の子局の連絡先情報および位置情報との対応を記憶する記憶部を備え、
前記制御部は、
前記移動局の識別情報に対応付けられた前記通信装置の連絡先情報に基づいて、前記第１の通信部により前記通信装置への発呼を制御し、前記移動局の識別情報に対応付けられた前記移動局の位置情報の近傍の位置情報を有する前記施設の連絡先情報に基づいて、前記第１の通信部により施設内の前記通信装置への発呼を制御し、前記移動局の位置情報の近傍の位置情報を有する前記同報無線の子局の連絡先情報に基づいて、前記第２の通信部により前記同報無線の子局への発呼を制御することを特徴とする請求項３記載の制御装置。
【請求項８】
前記制御部は、前記第２の通信部により前記同報無線の子局の連絡先情報に発呼する際、前記同報無線の子局のスピーカから所定音を報知させることを特徴とする請求項６または請求項７に記載の制御装置。
【請求項９】
前記制御部は、前記移動局のユーザとの通話が成立した連絡先情報の優先順位を高く設定し、次回の発呼時に前記優先順位の高い連絡先情報から順に選択して発呼することを特徴とする請求項７記載の制御装置。
【請求項１０】
自営無線回線および他の通信路を有し、前記自営無線回線により移動局と通信を行う移動通信統制局の通信方法であって、
前記自営無線回線を介して前記移動局のユーザと前記移動通信統制局のユーザとの間で通話ができなかった場合に、前記移動局の位置情報を利用して、前記他の通信路により前記移動局の近傍に位置する通信装置に通話のための発呼を行うことを特徴とする通信方法。
【請求項１１】
第１の自営無線回線により移動局と通信を行う移動通信統制局の通信方法であって、
前記第１の自営無線回線を介して前記移動局のユーザと前記移動通信統制局のユーザとの間で通話ができなかった場合に、前記移動局の位置情報を利用して、同報無線網である第２の自営無線回線を介して前記移動局の近傍に位置する同報無線の子局に通話のための発呼を行うことを特徴とする通信方法。
【請求項１２】
前記移動局に対応付けて記憶された通信装置の連絡先情報に基づいて、公衆回線網を介して前記通信装置への発呼を行うことを特徴とする請求項１０記載の通信方法。
【請求項１３】
前記移動局の現在位置の近傍に位置する通信装置の連絡先情報に基づいて、公衆回線網を介して前記通信装置への発呼を行うことを特徴とする請求項１０記載の通信方法。
【請求項１４】
前記移動局の現在位置の近傍に位置する同報無線の子局の連絡先情報に基づいて、同報無線親局を介して前記同報無線の子局への発呼を行うことを特徴とする請求項１０記載の通信方法。
【請求項１５】
前記移動局に対応付けて記憶された通信装置の連絡先情報に基づいて、公衆回線網を介して前記通信装置への発呼を行い、
前記移動局の現在位置の近傍に位置する施設内の通信装置の連絡先情報に基づいて、公衆回線網を介して前記施設内の通信装置への発呼を行い、
前記移動局の現在位置の近傍に位置する同報無線の子局の連絡先情報に基づいて、同報無線親局を介して前記同報無線の子局への発呼を行うことを特徴とする請求項１０記載の通信方法。
【請求項１６】
前記同報無線親局を介して前記同報無線の子局の連絡先情報に発呼する際、前記同報無線の子局のスピーカから所定音を報知させることを特徴とする請求項１４または請求項１５に記載の通信方法。
【請求項１７】
前記移動局のユーザとの通話が成立した連絡先情報の優先順位を高く設定し、次回の発呼時に前記優先順位の高い連絡先情報から順に選択して発呼することを特徴とする請求項１５記載の通信方法。
【請求項１８】
自営無線回線および他の通信路を有し、前記自営無線回線により移動通信統制局と移動局とが通信を行う移動通信システムにおいて、
前記移動局は、
自局の位置情報を前記移動通信統制局に送信する送信部を備え、
前記移動通信統制局は、
前記自営無線回線を介して前記移動局のユーザと前記移動通信統制局のユーザとの間で通話ができなかった場合に、前記移動局の位置情報を利用して、前記他の通信路により前記移動局の近傍に位置する通信装置に通話のための発呼を行うことを特徴とする移動通信システム。
【請求項１９】
第１の自営無線回線により移動通信統制局と移動局とが通信を行う移動通信システムにおいて、
前記移動局は、
自局の位置情報を前記移動通信統制局に送信する送信部を備え、
前記移動通信統制局は、
前記第１の自営無線回線を介して前記移動局のユーザと前記移動通信統制局のユーザとの間で通話ができなかった場合に、前記移動局の位置情報を利用して、同報無線網である第２の自営無線回線を介して前記移動局の近傍に位置する同報無線の子局に通話のための発呼を行うことを特徴とする移動通信システム。
【手続補正２】
【補正対象書類名】明細書
【補正対象項目名】００１９
【補正方法】変更
【補正の内容】
【００１９】
本発明の制御装置は、自営無線回線および他の通信路を有し、自営無線回線により移動局と通信を行う移動通信統制局の制御装置であって、自営無線回線を介して移動局のユーザと前記移動通信統制局のユーザとの間で通話ができなかった場合に、移動局の位置情報を利用して、他の通信路により移動局の近傍に位置する通信装置に通話のための発呼を行う構成としたものである。
また、本発明の制御装置は、第１の自営無線回線により移動局と通信を行う移動通信統制局の制御装置であって、第１の自営無線回線を介して移動局のユーザと移動通信統制局のユーザとの間で通話ができなかった場合に、移動局の位置情報を利用して、同報無線網である第２の自営無線回線を介して移動局の近傍に位置する同報無線の子局に通話のための発呼を行う構成としたものである。
【手続補正３】
【補正対象書類名】明細書
【補正対象項目名】００２１
【補正方法】変更
【補正の内容】
【００２１】
また、本発明の通信方法は、自営無線回線および他の通信路を有し、自営無線回線により移動局と通信を行う移動通信統制局の通信方法であって、自営無線回線を介して移動局のユーザと移動通信統制局のユーザとの間で通話ができなかった場合に、移動局の位置情報を利用して、他の通信路により移動局の近傍に位置する通信装置に通話のための発呼を行うようにしたものである。
また、本発明の通信方法は、第１の自営無線回線により移動局と通信を行う移動通信統制局の通信方法であって、第１の自営無線回線を介して移動局のユーザと移動通信統制局のユーザとの間で通話ができなかった場合に、移動局の位置情報を利用して、同報無線網である第２の自営無線回線を介して移動局の近傍に位置する同報無線の子局に通話のための発呼を行うようにしたものである。
【手続補正４】
【補正対象書類名】明細書
【補正対象項目名】００２３
【補正方法】変更
【補正の内容】
【００２３】
また、本発明の移動通信システムは、自営無線回線および他の通信路を有し、自営無線回線により移動通信統制局と移動局とが通信を行う移動通信システムにおいて、移動局は、自局の位置情報を移動通信統制局に送信する送信部を備え、移動通信統制局は、自営無線回線を介して移動局のユーザと移動通信統制局のユーザとの間で通話ができなかった場合に、移動局の位置情報を利用して、他の通信路により移動局の近傍に位置する通信装置に通話のための発呼を行う構成としたものである。
また、本発明の移動通信システムは、第１の自営無線回線により移動通信統制局と移動局とが通信を行う移動通信システムにおいて、移動局は、自局の位置情報を移動通信統制局に送信する送信部を備え、移動通信統制局は、第１の自営無線回線を介して移動局のユーザと移動通信統制局のユーザとの間で通話ができなかった場合に、移動局の位置情報を利用して、同報無線網である第２の自営無線回線を介して移動局の近傍に位置する同報無線の子局に通話のための発呼を行う構成としたものである。